(57)【要約】【課題】  本発明は、芯筒体を拡開ピンにより拡開させて石材構造物を締付固定させ、墓石等の積重ねられた石材構造物の横ズレや転倒を防止する石材構造物の倒壊防止具を提供することを目的とする。【解決手段】  本発明の石材構造物の倒壊防止具は、中央に貫通円孔１が形成された所定の直径、長さの円筒状の芯筒体２と、先端先細りの円錐台形状の外周面を有し、中央に貫通円孔１が形成された円環形状の拡開ピン３とを組合せて構成される。  前記芯筒体２は、全体が硬質ゴム製からなり、上下両端は両端縁部から中心に向う所定長さのスリット４が複数個形成され、前記スリット４により分離された複数の拡開片５が形成される。前記拡開ピン３は、全体をステンレス製に形成され前記芯筒体２よりやや大径に形成された円形の頭部９と、前記円筒体７と芯筒体２との隙間８に挿入される円環円錐台形の脚部１０とからなる。【選択図】  図４
2006219839.tif 000002
【特許請求の範囲】
【請求項１】
全体が硬質ゴム製で中央に貫通円孔が形成された所定の直径、長さの円筒体からなり、該円筒体の上下両端は両端縁部から中心に向う所定長さのスリットが複数個形成され、前記スリットにより分離された複数の拡開片が形成されると共に、前記芯筒体の貫通円孔にはステンレス製の円筒体が嵌合固定されて前記芯筒体の上下両端には前記円筒体と前記芯筒体との間に断面三角形の隙間が形成された芯筒体と、全体がステンレス製で前記隙間に嵌合挿入される先端先細りの円錐台形状の外周面を有し、中央に貫通円孔が形成された円環形状の拡開ピンとを組合せて構成されることを特徴とする石材構造物の倒壊防止具。
【請求項２】
所定厚みの正方形の平板状をなし、表面には縦軸又は横軸に平行に所定幅で多数の凸条又は凹条の凹凸部を形成し、中心部には前記芯筒体が挿入嵌合される円形の貫通穴が形成されている防振ゴムマットを備えていることを特徴とする請求項１記載の石材構造物の倒壊防止具。
【発明の詳細な説明】
【技術分野】
【０００１】
本発明は、墓石等の積重ねられた石材構造物の横ズレや転倒を防止する石材構造物の倒壊防止具に関する。
【背景技術】
【０００２】
従来、墓石等の積重ねられた石材構造物の倒壊を防止するために、各石材構造物の接触面にシリコン、ウレタン等の接着剤を使用する方法やこれら接着剤をカプセルに収容し、石材構造物の自重により押し潰すことにより双方の石材構造物を固定させる方法が知られている。
また、上下に重層された石材構造物の各接合面に穿設された接合孔に、該接合孔より小径の接合用有底筒片を嵌合すると共に接着剤を介して前記接合孔に固着し、前記上下両石材構造物の接合用有底筒片間に亘って太柄ピンを嵌着してなる石材構造物の横ずれ、転倒防止装置が公知となっている（特許文献１を参照）。
上述の如く、上下両石材構造物間の各接合面に穿設された接合孔に太柄ピンを挿入すると横ズレ、転倒が少なくなることが知られているが、単に挿入しただけの場合には、地震等では転倒を生じる恐れがある。
【特許文献１】特開昭６４−３３３７２号公報
【発明の開示】
【発明が解決しようとする課題】
【０００３】
そこで、本発明は、墓石等の積重ねられた石材構造物の接合穴に、硬質ゴム製の芯筒体とステンレス製の拡開ピンを組み合わせて挿入し、前記芯筒体を前記拡開ピンにより拡開させて前記石材構造物を締付固定させ、墓石等の積重ねられた石材構造物の横ズレや転倒を防止する石材構造物の倒壊防止具を提供することを目的とする。
【課題を解決するための手段】
【０００４】
本発明の石材構造物の倒壊防止具は、全体が硬質ゴム製で中央に貫通円孔が形成された所定の直径、長さの円筒体からなり、該円筒体の上下両端は両端縁部から中心に向う所定長さのスリットが複数個形成され、前記スリットにより分離された複数の拡開片が形成されると共に、前記芯筒体の貫通円孔にはステンレス製の円筒体が嵌合固定されて前記芯筒体の上下両端には前記円筒体と前記芯筒体との間に断面三角形の隙間が形成された芯筒体と、全体がステンレス製で前記隙間に嵌合挿入される先端先細りの円錐台形状の外周面を有し、中央に貫通円孔が形成された円環形状の拡開ピンとを組合せて構成されるものである。
また、所定厚みの正方形の平板状をなし、表面には縦軸又は横軸に平行に所定幅で多数の凸条又は凹条の凹凸部を形成し、中心部には前記芯筒体が挿入嵌合される円形の貫通穴が形成されている防振ゴムマットを備えているものである。
【発明の効果】
【０００５】
本発明の石材構造物の倒壊防止具は、接着剤を使用せず、墓石等の積重ねられた石材構造物の接合穴に、硬質ゴム製の芯筒体と金属製の拡開ピンを組み合わせて挿入し、前記芯筒体を前記拡開ピンにより拡開させて前記石材構造物を締付固定させるので、石材構造物の結合が強固で横ズレ、転倒が少なくなると共に取扱いが簡便である。
また、本発明の石材構造物の倒壊防止具は、倒壊防止具自体に防振ゴムマットを併用することにより、地震等の揺れを軽減し、地震等でも転倒を生じる恐れがない。
【発明を実施するための最良の形態】
【０００６】
本発明の一実施例を図面に基づいて、以下に説明する。
本発明の石材構造物の倒壊防止具は、図１（ａ）平面図、（ｂ）縦断面図に示すように、中央に貫通円孔１が形成された所定の直径、長さの円筒状の芯筒体２と、図２（ａ）平面図、（ｂ）縦断面図に示すように、先端先細りの円錐台形状の外周面を有し、中央に貫通円孔１が形成された円環形状の拡開ピン３とを組合せて構成される。
前記芯筒体２は、全体が硬質ゴム製からなり、図１（ｂ）に示すように、上下両端は両端縁部から中心に向う所定長さのスリット４が複数個形成され、前記スリット４により分離された複数の拡開片５が形成される。
さらに、各拡開片５の内側には前記スリット中途位置より両端縁部へ向って円錐形状の切欠き６が形成され、前記切欠き６により貫通円孔１の両端縁部は中央部より大径に形成される。
また、前記芯筒体２の貫通円孔１にはステンレス製の円筒体７が嵌合固定され、前記芯筒体２の上下両端には前記円筒体７と前記芯筒体２との間に断面三角形の隙間８が形成され、該隙間８には後述する拡開ピン３が嵌合挿入される。
なお、前記スリット４は、実施例では等間隔で４個形成したが、これに限らず、後述する拡開ピン３により押し広げられる拡開片構造であれば個数には限定されない。
【０００７】
前記拡開ピン３は、全体をステンレス製に形成され、図２（ｂ）に示すように、前記芯筒体２よりやや大径に形成された円形の頭部９と、前記円筒体７と芯筒体２との隙間８に挿入される円環円錐台形の脚部１０とからなる。
前記頭部９は、円形の外周縁に上方に少し立ち上がる鍔部分１１を有し、該立ち上がり鍔部分１１の厚さは、石材構造物に接合穴を切削するリング状カッターの刃厚と同幅である。
前記鍔部分１１は、接合穴を形成する際に石材構造物の円柱部分を打撃により切除した部分に凹凸部分が形成されて不安定になることを防止するために設けられ、前記鍔部分１１とリング状カッター切削面とにより前記頭部９に均等に力を垂直に加えることができる。
前記脚部１０の長さは、前記芯筒体２のスリット４よりやや短いが切欠き６より長く形成し、前記脚部１０の中央部の貫通円孔１は、前記芯筒体２の貫通円孔１と同径で前記頭部９へ貫通するように形成されている。
したがって、前記脚部１０は前記円筒体７と芯筒体２の隙間８に嵌合挿入され、強制的に押し下げることにより前記芯筒体２の拡開片５を押し開く作用を行うことができる。
なお、前記脚部１０の先端部にはアールをつけると前記芯筒体２の拡開片５の拡開が円滑に行われる。
【０００８】
次いで、本発明の石材構造物の倒壊防止具を補助する防振ゴムマットについて、図面に基づいて説明する。
上下に重層された石材構造物の接合面に敷設される防振ゴムマット１２は、振動を吸収する防振ゴムから形成され、図３（ａ）平面図、（ｂ）部分拡大断面図に示すように、所定厚みの正方形の平板状をなし、表面には縦軸又は横軸に平行に所定幅で多数の凸条又は凹条の凹凸部１３を形成している。
そして、前記防振ゴムマット１２の中心部には、前記芯筒体２が挿入嵌合される円形の貫通穴１４が形成される。
なお、この実施例では、防振ゴムマット１２表面にのみ多数の凹凸部１３を形成したが、両面、すなわち表面及び裏面に多数の凹凸部を形成することもできるが、その場合には表面と裏面の凹凸部は直交するように形成すれば良い。
【０００９】
次に、本発明の倒壊防止具の使用動作について、以下図面に基づいて説明する。
まず、対象とする石材構造物の接合面には、あらかじめ対向する個所にリング状カッターにより拡開ピン３の頭部９の直径と略同径の円形の接合穴をそれぞれに穿孔しておく。
なお、石材構造物の接合穴は、リング状カッターにより円筒形に所定深さまで切削し、中央の円柱部分を打撃により切除することにより形成され、打撃により切除された底面は不規則な凹凸面となる。
石材構造物の接合穴の深さは、それぞれの石材構造物に芯筒体２及び拡開ピン３が嵌合挿入されるので、前記芯筒体２のほぼ１／２の深さに形成される。
前記石材構造物に接合穴が形成されたら、図４の正面図、図５の断面図に示すように、始めに、下端の芯筒体２の円筒体７と芯筒体２の隙間８に拡開ピン３を刺し込み、前記拡開ピン３を前記芯筒体２の下端に仮止めする。
次に、石材構造物の接合面を上向きに静置し、静置された石材構造物の接合穴に前記仮止めされた芯筒体２を、前記拡開ピン３を下にして嵌合挿入させ、前記接合穴の最下部まで押し込む。
前記拡開ピン３の頭部９には鍔部分１１が形成されているので、前記接合穴の最下部のリング状カッターの切削面に前記鍔部分１１が接合し、前記切削面以外の凹凸面は前記鍔部分１１の空間に収納されるので、前記拡開ピン３は水平に支持される。
そして、前記石材構造物から突出している前記芯筒体２を直接打撃又は硬質板を挟んで間接打撃を行い、前記拡開ピン３を強制的に前記芯筒体２に刺し込み、前記芯筒体２の拡開片５を押し開いて、前記拡開片５を前記拡開ピン３で接合穴の壁面に押し付けて前記芯筒体２を締付固定する。
【００１０】
次いで、前記芯筒体２を固定した石材構造物上に、接合面を下にした石材構造物を積重ねる際には、図４、５の如くあらかじめ拡開ピン３を前記芯筒体２の上端に仮止めするか、又は接合面を下にした石材構造物の接合穴にあらかじめ拡開ピン３を嵌合挿入させておく。
そして、両石材構造物の前記接合穴を一致させるように重ね合わせると、上方の石材構造物の自重により前記仮止めされた拡開ピン３が押し下げられて、又は前記拡開ピン３の脚部１０が前記芯筒体２の隙間８に案内されつつ上方の石材構造物の自重により芯筒体２の拡開片５を強制的に押し開いて、前記拡開片５を前記拡開ピン３で接合穴の壁面に押し付けて前記芯筒体２を上方の石材構造物に締付固定する。
したがって、両石材構造物は、前記芯筒体２及び前記拡開ピン３により物理的に不動に締付固定される。
また、横ズレ防止を補完にするために防振ゴムマット１２を利用する場合もあり、その場合には、下方の石材構造物に前記芯筒体２を固定させた状態で、防振ゴムマット１２の貫通穴１４を前記芯筒体２に通して下方の石材構造物に積重ね、その上に前述と同様にして上方の石材構造物を積重ねる。
このようにすることにより、両石材構造物の間には防振ゴムマット１２が介在しているので、地震等においても摩擦力により両石材構造物が横ズレを起こすことがない。
なお、大型の石材構造物の場合、前記防振ゴムマット１２を石材構造物の四隅に置く場合もあるが、その際には中央に本発明の倒壊防止具を使用し、四隅には付加的に図６に示す対角線上の２個貫通穴１５を設けた防振ゴムマット１６と該貫通穴１５に嵌合する芯棒（図示せず）を採用し、５点で支持するように構成するとよい。
【図面の簡単な説明】
【００１１】
【図１】本発明の芯筒体の（ａ）平面図、（ｂ）断面図である。
【図２】本発明の拡開ピンの（ａ）平面図、（ｂ）断面図である。
【図３】本発明の倒壊防止具の正面図である。
【図４】本発明の倒壊防止具の断面図である。
【図５】本発明の倒壊防止具に使用される防振ゴムマットの平面図である。
【図６】本発明の倒壊防止具に付加的に使用される防振ゴムマットの平面図である。
【符号の説明】
【００１２】
１  貫通円孔
２  芯筒体
３  拡開ピン
４  スリット
５  拡開片
６  切欠き
７  円筒体
８  隙間
９  頭部
１０  脚部
１１  鍔部分
１２  防振ゴムマット
１３  凹凸部
１４  貫通穴
１５  貫通穴
１６  防振ゴムマット
【図１】
2006219839.tif 000003
【図２】
2006219839.tif 000004
【図３】
2006219839.tif 000005
【図４】
2006219839.tif 000006
【図５】
2006219839.tif 000007
【図６】
2006219839.tif 000008